(57)【要約】【課題】無駄な吐水を抑制する浴室用殺菌水吐水装置を提供する。【解決手段】複数の吐水口を備え、前記吐水口から殺菌水を吐水させる浴室用殺菌水吐水装置であって、複数の吐水口のうち、前記殺菌水を吐水させる吐水口を選択可能な選択機構を備える、ことを特徴とする浴室用殺菌水吐水装置。【選択図】図１
2018166646.tif 000002
【特許請求の範囲】
【請求項１】
複数の吐水口を備え、前記吐水口から殺菌水を吐水させる浴室用殺菌水吐水装置であって、
複数の吐水口のうち、前記殺菌水を吐水させる吐水口を選択可能な選択機構を備える、
ことを特徴とする浴室用殺菌水吐水装置。
【請求項２】
それぞれの前記吐水口に接続された分岐流路をさらに備え、
前記選択機構は、前記分岐流路のうち、前記殺菌水を吐水口に流す分岐流路を切り替える切替弁である請求項１に記載の浴室用殺菌水吐水装置。
【請求項３】
それぞれの前記吐水口に接続された分岐流路をさらに備え、
前記選択機構は、前記分岐流路のそれぞれに設けられた弁体である請求項１に記載の浴室用殺菌水吐水装置。
【請求項４】
前記複数の吐水口は、複数の洗浄領域に応じて設けられ、
すべての前記洗浄領域に殺菌水を吐水する場合に、特定の洗浄領域に吐水可能な吐水口からのみ吐水させるように前記選択機構を制御する第１制御と、その前記第１制御の後にすべての吐水口から吐水させるように前記選択機構を制御する第２制御と、を実行する制御装置をさらに備える請求項１から請求項３のいずれか一項に記載の浴室用殺菌水吐水装置。
【請求項５】
前記吐水口に供給する殺菌水の流量を調整する流量調整部をさらに備え、
前記制御装置は、前記第１制御の場合と、前記第２制御の場合とで、前記特定の洗浄領域に吐水する吐水口からの流量が同一になるように前記流量調整部を制御する請求項４に記載の浴室用殺菌水吐水装置。
【請求項６】
殺菌水を生成する殺菌水生成部を複数備え、
複数の前記殺菌水生成部のそれぞれは、生成した殺菌水をすべての前記吐水口に供給可能に設けられている、
請求項１から請求項５のいずれか一項に記載の浴室用殺菌水吐水装置。
【発明の詳細な説明】
【技術分野】
【０００１】
本発明は、浴室用殺菌水吐水装置に関する。
【背景技術】
【０００２】
特許文献１には、カウンターの裏側に設置された吐水部から殺菌水を吐水する浴室洗浄装置が提案されている。この浴室洗浄装置における吐水部は、洗浄対象に応じた複数のノズル孔を有しており、洗浄対象からノズル孔までの距離が近いほど洗浄範囲が大きくなり、かつ吐水の噴射角度が大きくなるようにしている。
【先行技術文献】
【特許文献】
【０００３】
【特許文献１】特許第４０３５６６１号公報
【発明の概要】
【発明が解決しようとする課題】
【０００４】
しかしながら、上述の浴室洗浄装置では、洗浄対象である全ての場所の洗浄が完了するまで殺菌水が吐水され続けてしまう。そのため、既に洗浄が完了した場所にも殺菌水が吐水されてしまい、無駄な吐水が生じる。
【０００５】
本発明は、このような事情に鑑みてなされたもので、その目的は、無駄な吐水を抑制する浴室用殺菌水吐水装置を提供することである。
【課題を解決するための手段】
【０００６】
本発明の一態様は、複数の吐水口を備え、前記吐水口から殺菌水を吐水させる浴室用殺菌水吐水装置であって、複数の吐水口のうち、前記殺菌水を吐水させる吐水口を選択可能な選択機構を備える、ことを特徴とする浴室用殺菌水吐水装置である。
【０００７】
本発明の一態様は、上述の浴室用殺菌水吐水装置であって、それぞれの前記吐水口に接続された分岐流路をさらに備え、前記選択機構は、前記分岐流路のうち、前記殺菌水を吐水口に流す分岐流路を切り替える切替弁である。
【０００８】
本発明の一態様は、上述の浴室用殺菌水吐水装置であって、それぞれの前記吐水口に接続された分岐流路をさらに備え、前記選択機構は、前記分岐流路のそれぞれに設けられた弁体である。
【０００９】
本発明の一態様は、上述の浴室用殺菌水吐水装置であって、前記複数の吐水口は、複数の洗浄領域に応じて設けられ、すべての前記洗浄領域に殺菌水を吐水する場合に、特定の洗浄領域に吐水可能な吐水口からのみ吐水させるように前記選択機構を制御する第１制御と、その前記第１制御の後にすべての吐水口から吐水させるように前記選択機構を制御する第２制御と、を実行する制御装置をさらに備える。
【００１０】
本発明の一態様は、上述の浴室用殺菌水吐水装置であって、前記吐水口に供給する殺菌水の流量を調整する流量調整部をさらに備え、前記制御装置は、前記第１制御の場合と、前記第２制御の場合とで、前記特定の洗浄領域に吐水する吐水口からの流量が同一になるように前記流量調整部を制御する。
【００１１】
本発明の一態様は、上述の浴室用殺菌水吐水装置であって、殺菌水を生成する殺菌水生成部を複数備え、複数の前記殺菌水生成部のそれぞれは、生成した殺菌水をすべての前記吐水口に供給可能に設けられている。
【発明の効果】
【００１２】
以上説明したように、本発明によれば、無駄な吐水を抑制することができる。
【図面の簡単な説明】
【００１３】
【図１】第１の実施形態に係る浴室用殺菌水吐水装置Ａの概略構成の一例を示す図である。
【図２】第１の実施形態に係る第１制御を説明する図である。
【図３】第１の実施形態に係る第２制御を説明する図である。
【図４】第１の実施形態に係る浴室用殺菌水吐水装置Ａの作用効果を説明する図である。
【図５】第２の実施形態に係る浴室用殺菌水吐水装置Ｂの概略構成の一例を示す図である。
【図６】第２の実施形態に係る殺菌水生成部６Ｂの概略構成の第１の例を示す図である。
【図７】第２の実施形態に係る浴室用殺菌水吐水装置Ｂの殺菌水の濃度制御を説明する図である。
【図８】第２の実施形態に係る殺菌水生成部６Ｂの概略構成の第２の例を示す図である。
【発明を実施するための形態】
【００１４】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。なお、図面において、同一又は類似の部分には同一の符号を付して、重複する説明を省く場合がある。また、図面における要素の形状及び大きさなどはより明確な説明のために誇張されることがある。
【００１５】
明細書の全体において、ある部分がある構成要素を「含む」、「有する」や「備える」とする時、これは、特に反対の記載がない限り、他の構成要素を除くものではなく、他の構成要素をさらに含むことができるということを意味する。
【００１６】
以下、本発明の一実施形態に係る浴室用殺菌水吐水装置を、図面を用いて説明する。
【００１７】
（第１の実施形態）
図１は、第１の実施形態に係る浴室用殺菌水吐水装置Ａの概略構成の一例を示す図である。
浴室用殺菌水吐水装置Ａは、浴室内における洗い場の床面２００に向けて殺菌水を吐水することで、その床面２００を除菌する。例えば、浴室用殺菌水吐水装置Ａは、浴室内にあるカウンター１００の下方に設けられている。
【００１８】
図１に示すように、浴室用殺菌水吐水装置Ａは、複数の吐水口１（吐水口１−１〜１−３）、第１の流路２、第２の流路３、第３の流路４、流量調整部５、殺菌水生成部６、選択機構７、分岐流路８−１〜８−３、及び制御装置９を備える。なお、複数の吐水口１−１〜１−３のそれぞれを区別しない場合には、単に「吐水口１」と標記する。また、本実施形態では、吐水口１が三つの場合について説明するが、これに限定されない。例えば、吐水口１が二つ以上であればよく、本発明の浴室用殺菌水吐水装置Ａは、吐水口１の数に限定されない。
【００１９】
吐水口１−１〜１−３は、洗浄対象である床面２００に殺菌水を吐水する吐水口である。この吐水口１−１〜１−３は、床面２００における複数の洗浄領域に応じて設けられる。例えば、図１に示すように、床面２００は、洗浄対象の領域として、第１の洗浄領域２０１、第２の洗浄領域２０２、及び第３の洗浄領域２０３を備える。
第１の洗浄領域２０１は、浴室用殺菌水吐水装置Ａの遠方の洗浄領域である。第２の洗浄領域２０２は、浴室用殺菌水吐水装置Ａの遠方と近傍との間の洗浄領域である。第３の洗浄領域２０３は、浴室用殺菌水吐水装置Ａの近傍の洗浄領域である。
【００２０】
吐水口１−１は、第１の洗浄領域２０１に向けて殺菌水を吐水する。すなわち、吐水口１−１は、第１の洗浄領域２０１を洗浄するための殺菌水を吐水する。
吐水口１−２は、第２の洗浄領域２０２に向けて殺菌水を吐水する。すなわち、吐水口１−２は、第２の洗浄領域２０２を洗浄するための殺菌水を吐水する。
吐水口１−３は、第３の洗浄領域２０３に向けて殺菌水を吐水する。すなわち、吐水口１−３は、第３の洗浄領域２０３を洗浄するための殺菌水を吐水する。
【００２１】
第１の流路２は、壁３００の外からの水を流量調整部５に流入させる流路である。なお、本実施形態において「水」とは、冷水又は温水である。
第２の流路３は、流量調整部５からの水を殺菌水生成部６に送水するための流路である。
第３の流路４は、殺菌水生成部６からの水を選択機構７に送水するための流路である。
【００２２】
流量調整部５は、制御装置９からの流量調整信号に基づいて、吐水口１−１〜１−３に供給する殺菌水の流量を調整する。この流量調整信号は、第２の流路３に流す水の流量を示す信号である。例えば、流量調整部５は、流量調整弁でもよいし、ポンプであってもよい。流量調整部５は、第１の流路２から流入してきた水の流量を調整して第２の流路３を介して殺菌水生成部６に送水する。換言すれば、流量調整部５は、第２の流路３に流入させる水の流量を調整する。
【００２３】
殺菌水生成部６は、殺菌水を生成する装置である。例えば、殺菌水生成部６は、第２の流路３を介して送水された水を電気分解することで殺菌水を生成する。この殺菌水とは、次亜塩素酸を含む水溶液でもよいし、金属イオンを含む酸性度の高い水溶液（酸性水）などであってもよい。このように、第２の流路３を通って流れてきた水は、殺菌水生成部６により電気分解されることで殺菌水となる。そして、その殺菌水は、第３の流路４で選択機構７に送水される。
【００２４】
選択機構７は、複数の吐水口１−１〜１−３のうち、殺菌水を吐水させる一つ以上の吐水口を選択する。なお、選択機構７は、複数の吐水口１−１〜１−３のうち、殺菌水を吐水させる吐水口としてすべての吐水口１−１〜１−３を選択してもよい。これにより、選択機構７で選択された吐水口から殺菌水が吐水される。すなわち、選択機構７は、それぞれの吐水口１−１〜１−３から選択的及び同時に吐水させることができる。なお、選択機構７は、制御装置９からの選択信号に基づいて、複数の吐水口１−１〜１−３のうち、殺菌水を吐水させる一つ以上の吐水口を選択する。
【００２５】
以下、第１の実施形態に係る選択機構７について具体的に説明する。
選択機構７は、吐水口１−１〜１−３のそれぞれに接続された複数の分岐流路８−１〜８−３のうち、殺菌水生成部６で生成された殺菌水を吐水口１に流す分岐流路に切り替える。本実施形態では、選択機構７は、分岐流路８−１〜８−３のうち、殺菌水を吐水口１に流す分岐流路に切り替える切替弁である。ただし、本発明の選択機構７は、切替弁に限定されず、例えば、分岐流路８−１〜８−３のそれぞれに設けられた弁体であってもよい。なお、この弁体は、電磁開閉弁であってもよいし、電磁比例制御弁であってもよい。
【００２６】
分岐流路８−１〜８−３は、第３の流路４から分岐する流路である。
分岐流路８−１は、第３の流路４から分岐し、吐水口１−１に連通する。したがって、分岐流路８−１は、選択機構７の選択により、吐水口１−１へ殺菌水を導く。
分岐流路８−２は、第３の流路４から分岐し、吐水口１−２に連通する。したがって、分岐流路８−２は、選択機構７の選択により、吐水口１−２へ殺菌水を導く。
分岐流路８−３は、第３の流路４から分岐し、吐水口１−３に連通する。したがって、分岐流路８−３は、選択機構７の選択により、吐水口１−３へ殺菌水を導く。
【００２７】
制御装置９は、流量調整部５に流量調整信号を出力することで、流量調整部５の出力を制御する。すなわち、制御装置９は、流量調整部５に流量調整信号を出力することで、流量調整部５における、吐水口１に供給する殺菌水の流量の調整を制御する。
【００２８】
制御装置９は、選択機構７に選択信号を出力することで、選択機構７における分岐流路８の切替えを制御する。
例えば、床面２００の全体を洗浄したい場合には、制御装置９は、すべての分岐流路８−１〜８−３を選択する選択信号を選択機構７に出力する。これにより、選択機構７は、分岐流路８−１〜８−３のすべての分岐流路８を第３の流路４に連通させる。したがって、全ての分岐流路８−１〜８−３が開放し、吐水口１−１〜１−３のすべてから殺菌水が吐水される。そのため、制御装置９は、床面２００の全体を洗浄することができる。
【００２９】
一方、例えば、床面２００の中で一部の領域（第１の洗浄領域２０１及び第３の洗浄領域２０３）を洗浄したい場合には、制御装置９は、分岐流路８−１，８−３を選択する選択信号を選択機構７に出力する。これにより、選択機構７は、分岐流路８−１，８−３のそれぞれを第３の流路４に連通させ、分岐流路８−２と第３の流路４との連通を遮断する。したがって、分岐流路８−１，８−３のみが開放し、分岐流路８−２が閉塞する。そのため、吐水口１−１，１−３から殺菌水が吐水され、第１の洗浄領域２０１及び第３の洗浄領域２０３のみを洗浄することができる。
【００３０】
このように、制御装置９は、床面２００を洗浄する場合に、必要な領域に必要な量の殺菌水を吐水することが可能になり、殺菌する必要がない領域に対する無駄な吐水を防止することができる。
【００３１】
以下、第１の実施形態に係る浴室用殺菌水吐水装置Ａにおいて、床面２００の全体を洗浄する動作について、図２，図３を用いて説明する。
床面２００全体を洗浄する場合には、まず、制御装置９は、床面２００において特定の洗浄領域に殺菌水を吐水させる。例えば、特定の洗浄領域とは、汚れやすい領域であり、例えば、床面２００の角部や排水溝を有する領域である。本実施形態では、第１の洗浄領域２０１及び第３の洗浄領域２０３に、汚れやすい領域がある場合を一例として説明する。
【００３２】
まず、制御装置９は、汚れやすい箇所を含む第１の洗浄領域２０１及び第３の洗浄領域２０３に吐水可能な吐水口１−１，１−３からのみ吐水させるように選択機構７を制御する第１制御を行う。例えば、制御装置９は、分岐流路８−１，８−３を選択する選択信号を選択機構７に出力する。これにより、選択機構７は、分岐流路８−１，８−３のそれぞれを第３の流路４に連通させ、分岐流路８−２と第３の流路４との連通を遮断する。したがって、分岐流路８−１，８−３のみが開放し、分岐流路８−２が閉塞する。そのため、図２に示すように、吐水口１−１，１−３から殺菌水が吐水され、汚れやすい箇所を有する第１の洗浄領域２０１及び第３の洗浄領域２０３のみを洗浄することができる。なお、第１制御を実行する時間は、任意に設定可能である。
【００３３】
次に、制御装置９は、第１制御を実行した後に、すべての吐水口１−１〜１−３から吐水させるように選択機構７を制御する第２制御を実行する。例えば、制御装置９は、すべての分岐流路８−１〜８−３を選択する選択信号を選択機構７に出力する。これにより、選択機構７は、分岐流路８−１〜８−３のすべての分岐流路８を第３の流路４に連通させる。したがって、図３に示すように、全ての分岐流路８−１〜８−３が開放し、吐水口１−１〜１−３のすべての吐水口から殺菌水が吐水される。そのため、制御装置９は、床面２００の全体を洗浄することができる。
【００３４】
このように、制御装置９は、床面２００の全体を洗浄したい場合に、第１制御を実行した後に第２制御を実行するため、汚れやすい箇所への殺菌水の吐水量を他の部分と比較して増加させることできる。したがって、制御装置９は、菌が増殖しやすい場所も確実に除菌し、床面２００全体を清潔に保つことができる。
【００３５】
ここで、制御装置９は、第１制御から第２制御に移行する場合に、殺菌水の流量を増加させるように、流量調整部５を制御する。これは、図４に示すように、制御装置９が第１制御から第２制御に移行する場合に、殺菌水の流量を一定にしていると、殺菌水の流速が低下してしまい、第２制御において床面２００全体に殺菌水を吐水できない場合があるためである。すなわち、第１制御から第２制御に移行する場合には、分岐流路８−２が開放されるため、吐水口１−２が開口し、全体として吐水口１の開口面積が増加する。そのため、制御装置９は、第１制御から第２制御に移行する場合に殺菌水の流量が一定になるように制御すると、殺菌水の流速が低下してしまい、汚れやすい箇所４０１，４０２に殺菌水を吐水することができない。
【００３６】
そのため、制御装置９は、例えば、第１制御の場合と、第２制御の場合とで、汚れやすい領域に吐水する吐水口１からの流量が同一になるように流量調整部５を制御する。本実施形態では、制御装置９は、例えば、第１制御の場合と、第２制御の場合とで、第１の洗浄領域２０１及び第３の洗浄領域２０３のそれぞれに吐水する流量が同一になるように流量調整部５を制御する。第１の洗浄領域２０１及び第３の洗浄領域２０３のそれぞれに吐水する殺菌水の流量とは、吐水口１−１及び吐水口１−３のそれぞれから吐水される殺菌水の流量である。
【００３７】
例えば、制御装置９は、予め設定された計算式やテーブルに基づき、流量調整部５により調整される殺菌水の流量を決定してもよい。これら計算式やテーブルは、例えば殺菌水を吐水する吐水口１の数や吐水口１の開口面積に基づいて、殺菌水の流量が決定できるように、実験的又は理論的に定めればよい。予め設定されたテーブルを用いる場合には、殺菌水を吐水する吐水口１の数や吐水口１の開口面積に関連付けられた殺菌水の流量を備えるルックアップテーブルを不図示の記憶部に予め記憶されていてもよい。そして、制御装置９は、実際に殺菌水を吐水する吐水口１の数や吐水口１の開口面積に対応する殺菌水の流量を上記ルックアップテーブルから取得し、取得した殺菌水の流量になるように流量調整部５を制御する。
【００３８】
これにより、制御装置９は、汚れやすい領域への吐水流量を第１制御と第２制御とで同一にすることで、第１制御と第２制御のどちらの場合でも、汚れやすい領域に確実に殺菌水を吐水することができる。
【００３９】
上述したように、第１の実施形態に係る浴室用殺菌水吐水装置Ａは、複数の吐水口１のうち、殺菌水を吐水させる吐水口を選択可能な選択機構を備える。これにより、浴室用殺菌水吐水装置Ａは、既に洗浄が完了した場所に殺菌水を吐水せずに、洗浄したい場所にのみ殺菌水を吐水することができる。したがって、浴室用殺菌水吐水装置Ａは、無駄な吐水を抑制することができる。
【００４０】
（第２の実施形態）
以下に、第２の実施形態に係る浴室用殺菌水吐水装置Ｂについて、説明する。第２の実施形態に係る浴室用殺菌水吐水装置Ｂは、第１の実施形態と比較して、殺菌水生成部６を複数備える点で異なる。
【００４１】
図５に示すように、浴室用殺菌水吐水装置Ｂは、複数の吐水口１（吐水口１−１〜１−３）、第１の流路２、第２の流路３、第３の流路４、流量調整部５、殺菌水生成部６Ｂ、選択機構７、分岐流路８−１〜８−３、及び制御装置９Ｂを備える。
【００４２】
図６は、第２の実施形態に係る殺菌水生成部６Ｂの概略構成の一例を示す図である。
図６に示すように、殺菌水生成部６Ｂは、複数の殺菌水生成部６−１，６−２，…６−Ｎ（Ｎは二以上の整数）を備える。
殺菌水生成部６−１，６−２，…６−Ｎは、それぞれ第１の実施形態に係る殺菌水生成部６と同様の構成を備える。
【００４３】
各殺菌水生成部６−１，６−２，…６−Ｎは、それぞれ並列に接続されている。各殺菌水生成部６−１，６−２，…６−Ｎは、生成した殺菌水を、第３の流路４を介して選択機構７に送水する。すなわち、各殺菌水生成部６−１，６−２，…６−Ｎが生成した殺菌水は第３の流路４で合流して選択機構７に送水される。換言すれば、殺菌水生成部６Ｂは、複数の殺菌水生成部６−１，６−２，…６−Ｎで生成された殺菌水がすべての吐水口１に対して供給可能に設けられている。
これにより、制御装置９Ｂは、吐水口１から吐水される殺菌水の流量を変化させることにより殺菌水の濃度を変化させることができる。
【００４４】
例えば、図７（ａ）に示すように、床面２００の全体を洗浄する場合には、選択機構７は、分岐流路８−１〜８−３のすべての分岐流路８を第３の流路４に連通させる。したがって、全ての分岐流路８−１〜８−３が開放し、吐水口１−１〜１−３のすべての吐水口から殺菌水が吐水される。ここで、各殺菌水生成部６−１，６−２，…６−Ｎにおいて生成する殺菌水の濃度がすべて濃度Ｃであると仮定する。なお、説明が煩雑になることを防ぐことを目的として、Ｎが３の場合について説明する。
この場合には、選択機構７には、濃度がＣである殺菌水が流入することになるが、全ての分岐流路８−１〜８−３が開放しているため、各吐水口から濃度Ｃの殺菌水が吐水される。
【００４５】
一方、図７（ｂ）に示すように、第１の洗浄領域２０１のみを洗浄する場合には、選択機構７は、分岐流路８−１のみを第３の流路４に連通させる。したがって、分岐流路８−１のみが開放し、分岐流路８−２，８−３が閉塞する。そのため、吐水口１−１からのみ殺菌水が吐水される。
この場合には、分岐流路８−１のみが開放しているため、選択機構７に流入してきた濃度３Ｃの殺菌水がそのまま分岐流路８−１に送水される。したがって、吐水口１−１から濃度３Ｃの殺菌水が吐水されることになる。
【００４６】
上述したように、第２の実施形態に係る浴室用殺菌水吐水装置Ｂは、複数の吐水口１のうち、殺菌水を吐水させる吐水口を選択可能な選択機構を備える。これにより、浴室用殺菌水吐水装置Ｂは、既に洗浄が完了した場所に殺菌水を吐水せずに、洗浄したい場所にのみ殺菌水を吐水することができる。したがって、浴室用殺菌水吐水装置Ｂは、無駄な吐水を抑制することができる。
【００４７】
また、第２の実施形態に係る制御装置９Ｂは、複数の分岐流路８−１〜８−３の間で、殺菌水生成部６で生成された殺菌水を吐水口１に流す分岐流路を切り替えることで、より高い濃度の殺菌水を吐水することができる。
【００４８】
なお、第２の実施形態において、各殺菌水生成部６−１，６−２，…６−Ｎがそれぞれ並列に接続されている場合について説明したが、これに限定されない。例えば、本発明は、図８に示すように、各殺菌水生成部６−１，６−２，…６−Ｎがそれぞれ直列に接続されてもよい。
【００４９】
また、制御装置９Ｂは、各殺菌水生成部６−１，６−２，…６−Ｎの駆動を制御してもよい。ここで、各殺菌水生成部６−１，６−２，…６−Ｎの駆動とは、各殺菌水生成部６−１，６−２，…６−Ｎが殺菌水を生成することである。これにより、殺菌水生成部６Ｂにおいて、駆動する殺菌水生成部の数が多い方が、より高い濃度の殺菌水を生成することができる。
【００５０】
したがって、制御装置９Ｂは、汚れやすい箇所を含む領域に殺菌水を吐水して殺菌する場合には、すべての殺菌水生成部６−１，６−２，…６−Ｎを駆動させることにより、高い濃度の殺菌水を吐水させる。一方、制御装置９Ｂは、汚れやすい箇所を含まない領域に殺菌水を吐水して殺菌する場合には、殺菌水生成部６−１，６−２，…６−Ｎのうち、所定の数の殺菌水生成部の駆動を停止することで、過剰に高い濃度の殺菌水を吐水せずに、適切な濃度の殺菌水を吐水することができる。これにより、制御装置９Ｂは、洗浄領域に応じた適切な濃度で殺菌水を吐水することができ、省電力に寄与する。
また、制御装置９Ｂは、殺菌水生成部６−１，６−２，…６−Ｎに印加する電流又は電圧を制御することで、殺菌水生成部６−１，６−２，…６−Ｎの駆動する数は同じでも殺菌水の濃度を調整することができる。
さらに、制御装置９Ｂは、殺菌水生成部６−１，６−２，…６−Ｎの駆動（ＯＮ）および停止（ＯＦＦ）と、殺菌水生成部６−１，６−２，…６−Ｎに印加する電流や電圧の調整と、を組合せて、殺菌水の濃度を調整することもできる。
【００５１】
以上、この発明の実施形態について図面を参照して詳述してきたが、具体的な構成はこの実施形態に限られるものではなく、この発明の要旨を逸脱しない範囲の設計等も含まれる。
上述の実施形態において、制御装置９，９Ｂは、自装置のタイマー機能により、予め設定された時間に第１制御及び第２制御を実行してもよいし、外部装置からの指令信号を有線又は無線で取得することにより、第１制御及び第２制御を実行してもよい。この外部装置とは、例えば、浴室内又は、浴室以外の場所に設置されたリモートコントローラである。
【符号の説明】
【００５２】
Ａ，Ｂ  浴室用殺菌水吐水装置
１−１〜１−３  吐水口
２  第１の流路
３  第２の流路
４  第３の流路
５  流量調整部
６，６Ｂ  殺菌水生成部
７  選択機構
８−１〜８−３  分岐流路
９，９Ｂ  制御装置
【図１】
2018166646.tif 000003
【図２】
2018166646.tif 000004
【図３】
2018166646.tif 000005
【図４】
2018166646.tif 000006
【図５】
2018166646.tif 000007
【図６】
2018166646.tif 000008
【図７】
2018166646.tif 000009
【図８】
2018166646.tif 000010